(57)【特許請求の範囲】
【請求項１】
方形外周縁をヒートシールしてなり、かつ該ヒートシール部の隅角部に注出用突起を斜め外向きに設けてなるプラスチックシートによる柔軟収容袋における詰め替え用自立装置において、
上記隅角部の少なくとも対角部表面に対角部粘着面を形成し、該対角部粘着面に離形紙を着脱自在に貼着し、
上記柔軟収容袋の表面に上記注出用突起の方向に向かって粘着片を貼着し、
該粘着片を上記注出用突起の方向に延長して、該注出用突起から上記柔軟収容袋の外部に至る延長部を形成し、
上記粘着片の上記延長部の延長部粘着面が、上記注出用突起を挿入する空瓶又は空ボトルの本体表面に貼着可能に形成されてなる柔軟収容袋における詰め替え用自立装置。
【請求項２】
上記延長部を上記柔軟収容袋の上記表面側に折畳むことにより折畳粘着片を形成し、
該折畳粘着片の折畳表面の上記延長部粘着面を離形紙で被覆した請求項１記載の柔軟収容袋における詰め替え用自立装置。
【請求項３】
上記粘着片を上記柔軟収容袋の上記表面及び裏面に各々貼着し、上記延長部を上記柔軟収容袋の上記表面及び上記裏面に各々折畳み可能に形成してなる請求項１又は２記載の柔軟収容袋における詰め替え用自立装置。
【請求項４】
上記注出用突起、上記粘着片及び上記延長部が上記柔軟収容袋の上記表面及び上記裏面の対角線上に設けられてなる請求項３に記載の柔軟収容袋における詰め替え用自立装置。
【発明の詳細な説明】
【技術分野】
【０００１】
本発明はシャンプー、リンス、ボディーソープ等の液体洗剤類等をプラスチックシートによる柔軟収容袋から自立ボトル内に詰め替えるための柔軟収納袋における詰め替え用自立装置に関するものである。
【背景技術】
【０００２】
従来、上記洗剤類は外周縁をヒートシールにより強化したほぼ長方形のプラスチック製柔軟袋に密封され、隅角部の嘴状突起を鋏で切断して注出口とし、該注出口を下向きにして、スタンド又は漏斗等で上記柔軟袋を支持し、その状態で下向注出口を瓶又はボトルの注入口に挿入して詰め替えるものであった（特許文献１〜４）。
【０００３】
又、収納袋を４面体形状とする必要があり、不安定であった（特許文献５）。
【先行技術文献】
【特許文献】
【０００４】
【特許文献１】実用新案登録第３０８４２０２号公報
【特許文献２】特開２００７−１８２２５５号公報
【特許文献３】実用新案登録第３０８４３３５号公報
【特許文献４】特開２００５−１５３９３５号公報
【特許文献５】特開平６−１７１６５４号公報
【発明の概要】
【発明が解決しようとする課題】
【０００５】
本発明は外周縁をヒートシールしたプラスチックシートによる長方形等の柔軟袋内に充填した液状洗剤類等を、床面又は台面等の水平面上に載置した空瓶又は空ボトル内にスタンドや漏斗等を用いることなく、既存の台面及び壁面に支持して安全に詰め替えることを目的とするものである。
【課題を解決するための手段】
【０００６】
上記の目的を達成するため本発明は、
第１に、方形外周縁をヒートシールしてなり、かつ該ヒートシール部の隅角部に注出用突起を斜め外向きに設けてなるプラスチックシートによる柔軟収容袋における詰め替え用自立装置において、上記隅角部の少なくとも対角部表面に対角部粘着面を形成し、該対角部粘着面に離形紙を着脱自在に貼着し、上記柔軟収容袋の表面に上記注出用突起の方向に向かって粘着片を貼着し、該粘着片を上記注出用突起の方向に延長して、該注出用突起から上記柔軟収容袋の外部に至る延長部を形成し、上記粘着片の上記延長部の延長部粘着面が、上記注出用突起を挿入する空瓶又は空ボトルの本体表面に貼着可能に形成されてなる柔軟収容袋における詰め替え用自立装置により構成される。
【０００８】
第２に、上記延長部を上記柔軟収容袋の上記表面側に折畳むことにより折畳粘着片を形成し、該折畳粘着片の折畳表面の上記延長部粘着面を離形紙で被覆した上記第１記載の柔軟収容袋における詰め替え用自立装置により構成される。
【０００９】
第３に、上記粘着片を上記柔軟収容袋の上記表面及び裏面に各々貼着し、上記延長部を上記柔軟収容袋の上記表面及び上記裏面に各々折畳み可能に形成してなる上記第１又は２記載の柔軟収容袋における詰め替え用自立装置により構成される。
【００１０】
第４に、上記注出用突起、上記粘着片及び上記延長部が上記柔軟収容袋の上記表面及び上記裏面の対角線上に設けられてなる上記第３に記載の柔軟収容袋における詰め替え用自立装置により構成される。
【発明の効果】
【００１１】
本発明は上述のように構成したので、柔軟収容袋の上記注出用突起の先端部を鋏で切断して開口し、該注出用突起を台面等に載置した空瓶又は空ボトルの開口部内に挿入した状態で、上記柔軟収容袋の対角部粘着面の離形紙を剥がして当該対角部粘着面を壁面又は直立面に貼着することにより、該収容袋を壁面又は直立面にスタンド又は漏斗等を用いることなく貼着支持し、その状態で収容袋内の液体は空瓶又は空ボトル内に自然流下し、詰め替えを行うことができる。この際、柔軟性収容袋に手を添えておく必要がないため、非常に容易に詰め替えを行うことができる。
【００１２】
また、上記詰め替え時において、上記柔軟収容袋の粘着片の延長部を上記空瓶又は空ボトルの本体表面に貼着することにより、上記柔軟収容袋と上記空瓶又は空ボトルを接続することができ、柔軟収納袋と上記空瓶又は空ボルトとの接続状態を維持して、安定して詰め替えを行うことができる。
【００１３】
このように、柔軟収容袋内の液体は上記空瓶又は空ボトル内に自動的に流入し、スタンドや漏斗等を用いることなく、上記柔軟収容袋の下向注出用突起から上記上向直立空瓶又は空ボトル内に流入し、自動的に詰め替えることができる。
【図面の簡単な説明】
【００１４】
【図１】本発明の柔軟収容袋における詰め替え用自立装置を示す表面図である。
【図２】図１Ａ−Ａ線による縦断面図である。
【図３】図１Ｂ−Ｂ線による縦断面図である。
【図４】柔軟収容袋の裏面図である。
【図５】詰め替え状態の表面図である。
【図６】詰め替え状態の１例を示す側面図である。
【図７】詰め替え状態の他例を示す側面図である。
【図８】柔軟収容袋と空瓶又は空ボトルとの表裏を接続した状態の側面図である。
【図９】柔軟収容袋の表面を壁面に貼着支持した状態の側面図である。
【発明を実施するための形態】
【００１５】
ほぼ長方形２重プラスチックシート（プラスチックシート）１，１の上下端縁及び両側外周縁をヒートシール２し（ヒートシール部２）、下端に２重折底片を介在して、縁部を上記シート１，１間にヒートシール２’（ヒートシール部２’）して底部シート３を形成し、上記２重プラスチックシート１，１の下端の隅角部４”に注出用突起４を斜め外向きに設け、該突起４の外周縁をヒートシ−ル２”（ヒートシール部２”）して、該突起４の中程ヒートシール部２”に鋏入切欠部４’を形成してプラスチックシートによる柔軟収容袋５を形成する（図１、図４）。
【００１６】
上記柔軟収容袋５の上記２重プラスチックシート１，１間には、液体洗剤、液体シャンプー、リンス等を密封収容し、鋏入切欠部４’から鋏を入れて注出用突起４を開口することができる。
【００１７】
そして、上記柔軟収容袋５の表面５ａの隅角部４”の注出用突起４の先端から対角線ｃ上の他端部（対角部表面１４）の表面５ａには粘着剤ａ’を塗布して粘着面（対角部粘着面）８”を形成し、該対角部粘着面８”上に離形紙８’を貼着する。
【００１８】
図１に示すように、上記柔軟収容袋５の表面５ａには、上記注出用突起４の突出方向に向かって裏面に粘着剤ａが塗布された柔軟なプラスチック片による粘着片６（例えばビニールテープ等）を貼着（接着、粘着等）し、該粘着片６を、さらに図１仮想線で示すように上記注出用突起４方向に延長して、上記注出用突起４から上記柔軟収容袋５の外部に至る延長部６’を形成する（図５参照）。尚、上記延長部６’の裏面側には上記粘着剤ａが塗布された延長部粘着面８ａが形成されている。そして上記延長部６’を上記突起４の基部（折返線ｂ）から上記収容袋５の表面５ａ側に折畳み、折畳み外面（粘着剤ａの塗布面）に現れた延長部粘着面８ａを離形紙８で被覆する（図３参照）。
【００１９】
このように、上記延長部６’は上記注出用突起４の基部の折返線ｂ（図１）から折返して、上記柔軟収容袋５の表面５ａに折畳み、折畳表面に露出する粘着剤ａ（延長部粘着面８ａ）を離形紙８で着脱自在に被覆する。尚、折り返された上記延長部６’を折畳粘着片７という。上記粘着片６は、図１では柔軟収容袋５の表面５ａ側にのみ設けているが、この粘着片６を柔軟収容袋５の裏面５ｂ側の対応位置にも同様の構成で設けても良い（図８参照）。尚、上記折畳粘着片７の端部は易剥離性の粘着テープ１３により上記表面５ａに止めておくことが好ましい(図１参照)。
【００２０】
勿論、上記注出用突起４、折畳粘着片７及び上記延長部６’の裏面（延長部粘着面８ａ）又は該延長部６’の反転部の表面（延長部粘着面８ａ）は、上記収容袋５の表面５ａ及び又は裏面５ｂの上記対角線ｃ上に設けることができる。
【００２１】
本発明における柔軟収容袋における詰め替え用自立装置は上述のように構成されるものであるから、同装置において詰め替えを行う場合は、柔軟収納袋５の注出用突起４を上向きの状態でその先端部を切断し、空瓶又は空ボトル９の開口部９’を下向きとして上記先端部を上記開口部９’に挿入し、その状態で空瓶又は空ボトル９と上記柔軟収容袋５全体を反転させて、図５に示すように、空瓶又は空ボトル９の開口部９’を上向きとして床面または台面１０上に載置する。
【００２２】
そして、図６に示すように、床面又は台面１０上に壁面又は直立面１１に接して起立させた空瓶又は空ボトル９の上向開口部９’内に上記開口注出用突起４が挿入された状態で、上記柔軟収容袋５を該開口部９’上に直立状に支持し（図５参照、このとき上記対角線ｃを鉛直方向とすることが好ましい）、上記柔軟収容袋５の対角部表面１４の離形紙８’を剥離し、それによって現れた粘着剤ａ’を上記壁面又は直立面１１に図６に示すように貼着する。
すると、上記柔軟収容袋５は図５に示すように、上記壁面又は直立面１１に接着された状態で当該位置にて保持され（図６参照）、その状態で該収容袋５は上記上向開口部９’上に支持されるため、上記柔軟収容袋５内の液体は上記開口注出用突起４から上記開口部９’を経て空瓶又は空ボトル９内に流下し、詰め替えが行われる。
【００２３】
又、図１仮想線及び図５実線で示すように、粘着テープ１３を剥がし、表面５ａ（図１、図６）及び又は裏面５ｂ（図７、図８）に貼着した折畳粘着片７の上記折畳表面の粘着剤ａ（延長部粘着面８ａ）に粘着した離形紙８を剥離して、該折畳粘着片７の表面に粘着剤ａを露出させ、さらに該折畳粘着片７を図１仮想線及び図５、図６、図７に示すように折返線ｂから外側に展開延長して該延長部６’の延長部粘着面８ａを（上記注出用突起４を空瓶又は空ボトル９の上向開口部９’に挿入した状態で）空瓶又は空ボトル９の本体表面９ａに貼着して、上記柔軟収容袋５と空瓶又は空ボトル９とを接続状態に上下に連結することができる（図５、図６、図７にその状態を示す。）
【００２４】
そして、上記空瓶又は空ボトル９は図６、図７に示すように床面又は台面１０に直立状態に載置され、上記柔軟収容袋５は上記注出用突起４を空瓶又は空ボトル９の上向開口部９’内に下向きに挿入した状態のまま直立し、床面又は台面１０に接する壁面又は直立面１１に対角部粘着面８”の粘着剤ａ’を以って接し、該収容袋５の起立表面の上端部にある上記対角部表面１４の粘着剤ａ’を起立状態のまま該壁面又は直立面１１に貼着し、上記柔軟収容袋５を起立状態に支持することができる（図６、図７にその状態を示す）。
【００２５】
その状態において、上記収容袋５内の洗剤等の液体は自重で上記空瓶又は空ボトル９内に自然に流下し、該空瓶又は空ボトル９内に自動的に詰め替えられる。尚、図９に示すように、簡易的には、柔軟収容袋５に粘着片６を設けずに、粘着剤ａ’のみを設け、粘着剤ａ’を壁面又は直立面１１に接着する構成としても良い。
【００２６】
尚、図５中１２は上記上向開口部９’から空瓶又は空ボトル９内に挿入する吸引ポンプ、１２’は上向開口部９’の閉鎖栓、１２”は昇降押えポンプ、１２ａは該ポンプ１２の注出口である。
【００２７】
また、洗剤等の液体を充填した上記柔軟収容袋５の上記注出用突起４を下向きとし、その先端部を鋏で切断して開口し、該下向開口突起４を、上向開口空瓶又は空ボトル９の上向開口部９’内に人手で挿入して該突起４を支持し、その状態で空瓶又は空ボトル９の底面を床面１０に載置し、該収容袋５の表面５ａを上記床面１０と隣接する壁面又は直立面１１に接触し、その状態で上記下向注出用突起４の上方にある対角部表面１４の離形紙８’を分離して対角部粘着面８”を露出し、該対角部粘着面８”を上記壁面又は直立面１１に貼着させることにより、該収容袋５を壁面又は直立面１１にスタンド又は漏斗等を用いることなく貼着支持し、その状態で柔軟収容袋５内の液体を空瓶又は空ボトル９内に自然流下させ、詰め替えを行っても良い。
【００２８】
又、上記手順にて行う場合であっても、上記対角部粘着面８”を壁又は直立面１１に貼着する前に、上記収容袋５の表面５ａ側の粘着片６（図３）の延長部６’外面の離形紙８を剥がし、その延長部粘着面８ａを露出し、該折畳粘着片７を上記突起４の方向（即ち、図３矢印方向）に展開延長し、かつ、上記開口注出用突起４を空瓶又は空ボトル９の上向開口部９’内に挿入した状態で、上記展開延長部６’の延長部粘着面８ａを上記空瓶又は空ボトル９の本体表面９ａに貼着しておけば、上部の下向柔軟収容袋５と下部の上向空瓶又は空ボトル９とを上下に安全確実に接続して、安定して詰め替え作業を行うことができる（図６〜７）。
【００２９】
上記柔軟収容袋５内の洗剤類（液体）は上記空瓶又は空ボトル９内に自動的に流入し、スタンドや漏斗等を用いることなく、又は柔軟収容袋５に手を添えることもなく、上記柔軟収容袋５の下向注出用突起４から上記上向直立空瓶又は空ボトル９内に自動的に流入し、自動的に詰め替えることができる。
【００３０】
尚、上記折畳粘着片７を上記直立収容袋５の裏面５ｂに、表面５ａと同様に設けておくことによって、該柔軟収容袋５の裏面５ｂと上記空瓶又は空ボトル９の反対面（外面）とを上記粘着片６の延長部６’によって接続して、上記下向収容袋５と上記直立空瓶又は空ボトル９とを表裏面において粘着片６，６の延長部６’，６’によって上下に強く接続することができる（図８参照）。
【００３１】
尚、詰め替えが終了した後は、上記柔軟収容袋５を壁面１１及びボトル９から離脱する必要があるため、上記粘着剤ａ，ａ’は、例えば水で容易に剥がすことのできる粘着剤を用いることが好ましい。
【００３２】
本発明は上述のように構成したので、柔軟収容袋５の上記注出用突起４の先端部を鋏で切断して開口し、該注出用突起４を台面１０等に載置した空瓶又は空ボトル９の開口部９’内に挿入した状態で、上記柔軟収容袋５の対角部粘着面８”の離形紙８’を剥がして当該粘着面８”を壁面又は直立面１１に貼着することにより、該収容袋５を壁面又は直立面１１にスタンド又は漏斗等を用いることなく貼着支持し、その状態で収容袋５内の液体を空瓶又は空ボトル９内に自然流下させ、詰め替えを行うことができる。この際、柔軟性収容袋５に手を添えておく必要がないため、非常に容易に詰め替えを行うことができる。
【００３３】
また、上記詰め替え時において、上記柔軟収容袋５の粘着片６の延長部６’を上記空瓶又は空ボトル９の本体表面９ａに貼着することにより、上記柔軟収容袋５と上記空瓶又は空ボトル９を接続することができ、柔軟収納袋５と上記空瓶又は空ボルト９との接続状態を維持して、安定して詰め替えを行うことができる。
【００３４】
このように、柔軟収容袋５内の液体は上記空瓶又は空ボトル９内に自動的に流入し、スタンドや漏斗等を用いることなく、上記柔軟収容袋５の下向注出用突起４から上記上向直立空瓶又は空ボトル９内に流入し、自動的に詰め替えることができる。
【産業上の利用可能性】
【００３５】
本発明の上記柔軟収容袋及び上記詰め替え装置は家庭用机等に載置し、机に接する直立壁等に接して用いることができる。また、本発明に係る柔軟収容袋における詰め替え用自立装置は、既存の詰め替え用の柔軟収容袋に、その基本的構成を変更することなく、対角部粘着剤８”及び又は折畳粘着片７を付加するだけで構成することができるため、極めて汎用性の高いものである。
【符号の説明】
【００３６】
１，１          ２重プラスチックシート（プラスチックシート）
２，２’，２”  ヒートシール（ヒートシール部）
４              注出用突起
４”            隅角部
５              柔軟収容袋
５ａ            表面
５ｂ            裏面
６              粘着片
６’            延長部
７              折畳粘着片
８，８’        離形紙
８”            粘着面（対角部粘着面）
８ａ            延長部粘着面
９              空瓶又は空ボトル
９ａ            本体表面
１４            対角部表面
ａ，ａ’        粘着剤
ｃ              対角線
【図１】
0005601895.tif 000002
【図２】
0005601895.tif 000003
【図３】
0005601895.tif 000004
【図４】
0005601895.tif 000005
【図５】
0005601895.tif 000006
【図６】
0005601895.tif 000007
【図７】
0005601895.tif 000008
【図８】
0005601895.tif 000009
【図９】
0005601895.tif 000010